(57)【特許請求の範囲】
【請求項１】
天井下部格納型シャッターを備えたバン型車両において、シャッターレールの下部位置で、バン型車両の両側壁間にエバポレーター取付専用のフレームを設け、これにエバポレーターを取付けたことを特徴とする天井下部格納型シャッタを備えたバン型車両における車両後部へのエバポレーター取付構造。
【請求項２】
前記エバポレーター取付専用のフレームは、側壁に取付ける一対の縦方向部材と、これら一対の縦方向部材と直交する一対の横方向部材と、さらにこれら横方向部材間にあって前記縦方向部材と平行する一対のエバポレーター取付部材とからなり、該エバポレーター取付部材の下部にエバポレーターをボルト等により取付けるようにした請求項１記載の天井下部格納型シャッタを備えたバン型車両における車両後部へのエバポレーター取付構造。
【請求項３】
エバポレーターの左右方向の位置変更を、エバポレーター取付専用のフレームを構成する横方向部材への取付位置を左右に変更することにより、又エバポレーターの上下方向の位置変更をエバポレーター取付専用のフレームを構成する縦方向部材の取付位置を上下にずらして行うようにしたことを特徴とする請求項１記載の天井下部格納型シャッタを備えたバン型車両における車両後部へのエバポレーター取付構造。
【発明の詳細な説明】
【０００１】
【発明の属する技術分野】
本発明は、温度管理されるバン型車両、特に開扉時に天井下部にスライドして格納されるシャッタードアが取り付けられるバン型車両の庫内冷凍用エバポレーターの取付構造に関するものである。
【０００２】
【従来の技術】
従来は庫内エバポレーターは天井に直付けしていた。このため後部扉が天井下部格納式のスライド式シャッタードアの場合には、シャッター格納部にエバポレーターを取付けることができなかった。
【０００３】
近年、多温度管理する車両では、例えば庫内の前部と後部のようにエバポレーターを複数取付ける必要が高まり、特にリヤドア近くに取り付ける時に前記天井部に存在するシャッタードアの存在により、取付けられなかった。
【０００４】
本出願人は先にエバポレーターを備えた冷凍車荷箱の改良をなし、特許出願をした（実開平５−１０９７３，特許第３０５６３８７号参照）。これは図５に示すごとく、天井５は、荷箱１の長手方向にコルゲートを施した薄い金属板８の内側に合成樹脂発泡材からなる断熱層９を配し、その内側に合成樹脂板あるいは木板１０を張設した構造を有している。天井５の前端部には断熱層９を薄く（厚さＳ）形成して形成された窪み１１が設けられている。図６は該窪み１１部分を拡大して示した部分断面図である。該窪み１１の中には、薄型に形成されたエバポレーター１２が取付けられている。また、天井５には空気流通用の溝１３が複数本必要に応じて設けられる。６はバン型車両の床である。
【０００５】
又図７は冷凍物運搬用の荷箱で品物を輸送する場合、チルド食品と冷凍食品のように庫内温度の異なる品物を１台の荷箱で輸送する場合である。図７はこのような場合に使用される例を示している。この例では荷箱１の天井５の前端及び後端に２つの窪み１１が設けられており、それら２つの窪み１１の中にはそれぞれエバポレーター１２，１２が前記例と同様に取付けられている。この例も同様、エバポレーター１２は薄型に形成されていて、エバポレーター１２の下面はほぼ天井５の内面と同一平面となっている。１４は荷箱１の内部を２つの部屋に区切る仕切り壁である。もちろんこの実施例においてはエバポレーター１２，１２から吹き出される冷気はそれぞれの部屋内を循環する。
【０００６】
図７に示した冷凍物運搬用の荷箱は、後部ドアは天井格納式のシャッタードアではなく、両開きドアではあるこの例の場合にはエバポレーターが天井より内側（下向）に飛び出ていないため、シャッタードアの取付が可能である。しかし図７で見られるように、天井の断熱層の厚さが保温機能上犠牲となっている上に、構造が複雑なため、製造コストが高くならざるを得なかった。
【０００７】
【発明が解決しようとする課題】
保温性を確保し、かつ低コストで、天井下部にシャッター格納スペースを確保しながら、その下にエバポレーターを設置できるようにすることを課題とする。
【０００８】
【課題を解決するための手段】
（１）天井下部格納型シャッターを備えたバン型車両において、シャッターレールの下部位置で、バン型車両の両側壁間にエバポレーター取付専用のフレームを設け、これにエバポレーターを取付けた。
（２）前記エバポレーター取付専用のフレームは、側壁に取付ける一対の縦方向部材と、これら一対の縦方向部材と直交する一対の横方向部材と、さらにこれら横方向部材間にあって前記縦方向部材と平行する一対のエバポレーター取付部材とからなり、該エバポレーター取付部材の下部にエバポレーターをボルト等により取付けるようにした。
（３）エバポレーターの左右方向の位置変更を、エバポレーター取付専用のフレームを構成する横方向部材への取付位置を左右に変更することにより、又エバポレーターの上下方向の位置変更をエバポレーター取付専用のフレームを構成する縦方向部材の取付位置を上下にずらして行うようにした。
【０００９】
【発明の実施の形態】
図２は本発明を実施したバン型車両Ｖの縦断面図である。図２に示す如く、バン型車両Ｖは仕切壁２１によって前室Ａと後室Ｂとに仕切られている。前室天井下部にはエバポレーター２２が、又後室Ｂの天井下部にもエバポレーター２３が取り付けられ、Ａ室とＢ室を異った室温で管理できるように構成されている。
【００１０】
２４はシャッタードアで、車両の両側に設けたレールによって案内されて、図２の如く天井下部まで送られて格納される。この天井下部に格納されるシャッタードア２４があるため、前記公知構造（図７）の如く天井下部にエバポレーター２３を直接取り付けることができない。本発明はこの問題を解決するものである。
【００１１】
図１は本発明の取付構造によって取り付けられた後部エバポレーターを示し、シャッタードア２４のレール２６が天井２５の両側下部に設けられている。シャッタードア２４は操作片２７を下に引っ張ると閉じ、又ロック装置２８を開放すると、後部門構の上部に設けたばね２９のばね力により、付勢され小さな人力で押し上げて開放することができる。
【００１２】
さて、図１で３０はシャッターレール２６の下部に設けた後部エバポレーター２３の取付フレームである。以下図４に基づいて取付フレームの詳細について説明する。図４で３１ａと３１ｂはバン型車両Ｖの内壁上部（シャッターレールより下）の側壁に取り付けたＬ型材（特に形状は限定しない）のような左右一対の縦方向部材である。これら縦方向部材３１ａ，３１ｂと直交して前後一対の横部材３２ａ，３２ｂが縦方向部材３１ａ，３１ｂ間に平行に固着されている。横部材３２ａ，３２ｂ間にはさらに断面Ｕ字型部材（特に形状は限定しない）３３ａ，３３ｂがこれ又平行に固着されている。
【００１３】
後部エバポレーター２３はボルト３４とナット３５で前記Ｕ字型部材３３ａ，３３ｂの下部に取付けられる。図では４個のボルト３４で取付けているが、その数は特に限定しない。
【００１４】
３６は縦方向部材３１ａ又は３１ｂを側壁に固着するブラインドリベット等の固着具である。
【００１５】
以上説明したように、バン型車両の庫内の両側壁間に型材等で組んだ取付フレーム３０を渡し、このフレーム３０にエバポレーター２３を取り付ける。この時フレーム３０にあらかじめエバポレーター２３を取り付けておけば、取付フレーム３０は側壁の任意の位置に固定できるので、取付フレーム３０と一体のエバポレーター２３の取付位置は前後及び上下に対して自由な希望する位置に設定することができる。
【００１６】
【発明の効果】
後部扉が天井下部格納式シャッタードアの場合に、そのドアレール下部に本発明の取付フレームを用いてエバポレーターを容易に設置できる。このため複数温度管理用のバン型車両の種々のバリエーションが可能となった。
【００１７】
特に取付フレームはその縦方向部材を側壁に対し希望する位置に取付けることができ、又後部エバポレーター取付用の断面Ｕ字型部材３３ａ，３３ｂに対し予め取り付けておくことができるので取付けが容易にできる。
【００１８】
又断面Ｕ字型部材３３ａ，３３ｂ等を横部材３２ａ，３２ｂに対し、左右に移動することができるので、積荷の関係等で、エバポレーターの位置を好ましい位置に変えて、効果的な積載が可能である。
【図面の簡単な説明】
【図１】本発明を実施したバン型車両の後部斜視図。
【図２】バン型車両の縦断面図。
【図３】図２の右側面図。
【図４】後部エバポレーターの取付装置の分解斜視図。
【図５】公知冷凍車の断面図。
【図６】図５におけるエバポレーター取付部の詳細図。
【図７】多室温度管理型バン型車両の断面図。
【符号の説明】
１  荷箱                        ５  天井
６  床                          ８  金属板
９  断熱層                      10  木板
11  窪み                        12  エバポレーター
13  溝                          14  仕切り壁
21  仕切壁                      22  エバポレーター
23  エバポレーター              24  シャッタードア
25  天井                        26  レール
27  操作片                      28  ロック装置
29  ばね                        30  取付フレーム
31a,31b  縦方向部材             32a,32b  横部材
33a,33b  断面Ｕ字型部材         34  ボルト
35  ナット
【図１】
0004358461.tif 000002
【図２】
0004358461.tif 000003
【図３】
0004358461.tif 000004
【図４】
0004358461.tif 000005
【図５】
0004358461.tif 000006
【図６】
0004358461.tif 000007
【図７】
0004358461.tif 000008